(57)【要約】【課題】表示パネルの下部をサブパネル内に後退させることなく、かつ、表示パネルを上下方向の位置を変化させずに逆チルト動作させること。【解決手段】表面に表示パネルが配置され、表示パネルがサブパネル２１に沿ってスライドし開閉する第一プレート５と、第一プレート５と連結された第二プレート６と、第一プレート５と連結された第三プレート７と、第一プレート５の下部と第三プレート７の下部とを回転可能に連結する第一回転軸１０１と、第一プレート５の中間部と第二プレート６の下部とを回転可能に連結する第二回転軸１０２と、第二プレート６の上部と第三プレート７の上部とを回転可能に連結する第三回転軸１０３と、第一回転軸を動かして、第一回転軸１０１と第二回転軸１０２と第三回転軸１０３との相対的な位置関係を変化させる第一回転軸移動機構８とを備える。【選択図】図６
2019119381.tif 000002
【特許請求の範囲】
【請求項１】
表面に表示パネルが配置され、上端部が下方に移動し、下端部が電子機器本体の表面から離れる方向に移動することで、前記表示パネルの上端側が電子機器本体の表面に沿ってスライドし開閉する第一可動部と、
前記第一可動部と連結された第二可動部と、
前記第一可動部と連結された第三可動部と、
前記第一可動部の下部と前記第三可動部の下部とを回転可能に連結する第一回転軸と、
前記第一可動部の中間部と前記第二可動部の下部とを回転可能に連結する第二回転軸と、
前記第二可動部の上部と前記第三可動部の上部とを回転可能に連結する第三回転軸と、
前記第一回転軸を動かして、前記第一回転軸と前記第二回転軸と前記第三回転軸との相対的な位置関係を変化させる第一回転軸移動機構と、
を備え、
前記第一回転軸移動機構が、前記第一回転軸を上方向に動かすと、前記第二回転軸が前記電子機器本体の表面から離れる方向に押し出されて前記第一可動部の上部が前記電子機器本体の表面から離れる方向に傾倒する、
ことを特徴とする表示パネル駆動機構。
【請求項２】
前記電子機器本体の表面に対して進退するスライドプレートを有するスライド機構と、
前記スライドプレートと対面して形成されたカム溝を有するガイド機構と、
を備え、
前記第一回転軸移動機構は、一方の端部に前記第一回転軸が回転可能に配置されたリフトアームと、前記リフトアームの中間部と前記スライドプレートとを回転可能に連結するアーム回転軸と、前記リフトアームの他方の端部に配置され前記カム溝と係合するガイド軸とを有し、
前記スライドプレートが前記電子機器本体の表面に対して進退すると、前記ガイド軸が前記カム溝と係合しながら進退することで、前記アーム回転軸を軸として前記リフトアームが回転し、前記第一回転軸が前記電子機器本体の表面に対して移動する、請求項１に記載の表示パネル駆動機構。
【請求項３】
前記第一可動部の下部と前記スライドプレートとを回転可能に連結する第四回転軸、
を備える請求項２に記載の表示パネル駆動機構。
【請求項４】
前記第二回転軸のまわりに配置され、前記第一可動部と前記第二可動部とを近づける方向に付勢力を作用させるバネ、
を備える請求項１から３のいずれか一項に記載の表示パネル駆動機構。
【請求項５】
表示パネル、
および、
表面に前記表示パネルが配置され、上端部が下方に移動し、下端部が電子機器本体の表面から離れる方向に移動することで、前記表示パネルの上端側が電子機器本体の表面に沿ってスライドし開閉する第一可動部と、
前記第一可動部と連結された第二可動部と、
前記第一可動部と連結された第三可動部と、
前記第一可動部の下部と前記第三可動部の下部とを回転可能に連結する第一回転軸と、
前記第一可動部の中間部と前記第二可動部の下部とを回転可能に連結する第二回転軸と、
前記第二可動部の上部と前記第三可動部の上部とを回転可能に連結する第三回転軸と、
前記第一回転軸を動かして、前記第一回転軸と前記第二回転軸と前記第三回転軸との相対的な位置関係を変化させる第一回転軸移動機構と、を有する表示パネル駆動機構と、
を備え、
前記第一回転軸移動機構が、前記第一回転軸を上方向に動かすと、前記第二回転軸が前記電子機器本体の表面から離れる方向に押し出されて前記第一可動部の上部が前記電子機器本体の表面から離れる方向に傾倒する、
ことを特徴とする表示ユニット。
【請求項６】
電子機器の電子機器本体の表面を有する筐体、
表示パネル、
および、
表面に前記表示パネルが配置され、上端部が下方に移動し、下端部が電子機器本体の表面から離れる方向に移動することで、前記表示パネルの上端側が電子機器本体の表面に沿ってスライドし開閉する第一可動部と、
前記第一可動部と連結された第二可動部と、
前記第一可動部と連結された第三可動部と、
前記第一可動部の下部と前記第三可動部の下部とを回転可能に連結する第一回転軸と、
前記第一可動部の中間部と前記第二可動部の下部とを回転可能に連結する第二回転軸と、
前記第二可動部の上部と前記第三可動部の上部とを回転可能に連結する第三回転軸と、
前記第一回転軸を動かして、前記第一回転軸と前記第二回転軸と前記第三回転軸との相対的な位置関係を変化させる第一回転軸移動機構と、を有する表示パネル駆動機構と、
を備え、
前記第一回転軸移動機構が、前記第一回転軸を上方向に動かすと、前記第二回転軸が前記電子機器本体の表面から離れる方向に押し出されて前記第一可動部の上部が前記電子機器本体の表面から離れる方向に傾倒する、
ことを特徴とする電子機器。
【発明の詳細な説明】
【技術分野】
【０００１】
本発明は、表示パネル駆動機構、表示ユニット、および、電子機器に関する。
【背景技術】
【０００２】
例えば、ＡＶ一体型のカーナビゲーションシステムまたはカーオーディオなどの車両用の電子機器は、乗員の目線より上に取付けられる場合や、傾斜させて取付けられる場合がある。このような場合、電子機器の姿勢を調節して視認性を確保したり、表示パネルにおける太陽光の反射を抑制したりするために、表示パネルの表面を下向きに傾倒させる逆チルト動作を行う技術が知られている（例えば、特許文献１、特許文献２参照）。特許文献１、特許文献２に記載の技術はいずれも、スライダによって、表示パネルの下部を車両のクラスタパネルなどに固定されたサブパネル内に後退させることで、表示パネルを表面が下向くように傾倒させる。
【先行技術文献】
【特許文献】
【０００３】
【特許文献１】特開２０１５−０１２１２３号公報
【特許文献２】特許第４３３４４５７号公報
【発明の概要】
【発明が解決しようとする課題】
【０００４】
電子機器には、視認性の向上など様々な目的のために、表示パネルを大型化したいという要望がある。ところが、特許文献１、特許文献２に記載された技術は、表示パネルの下部をサブパネル内に後退させて表示パネルの逆チルト動作を行う。このため、表示パネルの大きさは、サブパネルおよび筐体の大きさによって制限される。より詳しくは、サブパネルに対し表示パネルを大型化して、サブパネルの下端部よりも下側に表示パネルが張り出している場合、表示パネルの逆チルト動作をしようとしても、表示パネルの下部をサブパネル内へ後退させることができないので、逆チルト動作の実現が困難となる。このため、表示パネルの逆チルト動作時に、表示パネルの下部をサブパネル内に後退させることを抑制することが望まれる。
【０００５】
表示パネルの逆チルト動作時に、表示パネルの位置が上下方向に変化すると、電子機器が取付けられた、例えば、クラスタパネル、センターコンソール、インストルメントパネルなどに干渉するおそれがある。このため、表示パネルの逆チルト動作時に、表示パネルの位置が上下方向に変化しないことが望まれる。
【０００６】
本発明は、上記に鑑みてなされたものであって、表示パネルの下部をサブパネル内に後退させることなく、かつ、表示パネルを上下方向の位置を変化させずに逆チルト動作させる表示パネル駆動機構、表示ユニット、および、電子機器を提供することを目的とする。
【課題を解決するための手段】
【０００７】
上述した課題を解決し、目的を達成するために、本発明に係る表示パネル駆動機構は、表面に表示パネルが配置され、上端部が下方に移動し、下端部が電子機器本体の表面から離れる方向に移動することで、前記表示パネルの上端側が電子機器本体の表面に沿ってスライドし開閉する第一可動部と、前記第一可動部と連結された第二可動部と、前記第一可動部と連結された第三可動部と、前記第一可動部の下部と前記第三可動部の下部とを回転可能に連結する第一回転軸と、前記第一可動部の中間部と前記第二可動部の下部とを回転可能に連結する第二回転軸と、前記第二可動部の上部と前記第三可動部の上部とを回転可能に連結する第三回転軸と、前記第一回転軸を動かして、前記第一回転軸と前記第二回転軸と前記第三回転軸との相対的な位置関係を変化させる第一回転軸移動機構と、を備え、前記第一回転軸移動機構が、前記第一回転軸を上方向に動かすと、前記第二回転軸が前記電子機器本体の表面から離れる方向に押し出されて前記第一可動部の上部が前記電子機器本体の表面から離れる方向に傾倒する、ことを特徴とする。
【０００８】
上述した課題を解決し、目的を達成するために、本発明に係る表示ユニットは、表示パネル、および、表面に前記表示パネルが配置され、上端部が下方に移動し、下端部が電子機器本体の表面から離れる方向に移動することで、前記表示パネルの上端側が電子機器本体の表面に沿ってスライドし開閉する第一可動部と、前記第一可動部と連結された第二可動部と、前記第一可動部と連結された第三可動部と、前記第一可動部の下部と前記第三可動部の下部とを回転可能に連結する第一回転軸と、前記第一可動部の中間部と前記第二可動部の下部とを回転可能に連結する第二回転軸と、前記第二可動部の上部と前記第三可動部の上部とを回転可能に連結する第三回転軸と、前記第一回転軸を動かして、前記第一回転軸と前記第二回転軸と前記第三回転軸との相対的な位置関係を変化させる第一回転軸移動機構と、を有する表示パネル駆動機構と、を備え、前記第一回転軸移動機構が、前記第一回転軸を上方向に動かすと、前記第二回転軸が前記電子機器本体の表面から離れる方向に押し出されて前記第一可動部の上部が前記電子機器本体の表面から離れる方向に傾倒する、ことを特徴とする。
【０００９】
上述した課題を解決し、目的を達成するために、本発明に係る電子機器は、電子機器の電子機器本体の表面を有する筐体、表示パネル、および、表面に前記表示パネルが配置され、上端部が下方に移動し、下端部が電子機器本体の表面から離れる方向に移動することで、前記表示パネルの上端側が電子機器本体の表面に沿ってスライドし開閉する第一可動部と、前記第一可動部と連結された第二可動部と、前記第一可動部と連結された第三可動部と、前記第一可動部の下部と前記第三可動部の下部とを回転可能に連結する第一回転軸と、前記第一可動部の中間部と前記第二可動部の下部とを回転可能に連結する第二回転軸と、前記第二可動部の上部と前記第三可動部の上部とを回転可能に連結する第三回転軸と、前記第一回転軸を動かして、前記第一回転軸と前記第二回転軸と前記第三回転軸との相対的な位置関係を変化させる第一回転軸移動機構と、を有する表示パネル駆動機構と、を備え、前記第一回転軸移動機構が、前記第一回転軸を上方向に動かすと、前記第二回転軸が前記電子機器本体の表面から離れる方向に押し出されて前記第一可動部の上部が前記電子機器本体の表面から離れる方向に傾倒する、ことを特徴とする。
【発明の効果】
【００１０】
本発明によれば、表示パネルの下部をサブパネル内に後退させることなく、かつ、表示パネルを上下方向の位置を変化させずに逆チルト動作させることができるという効果を奏する。
【図面の簡単な説明】
【００１１】
【図１】図１は、実施形態に係る電子機器を車両に取り付けた状態を示す正面図である。
【図２】図２は、実施形態に係る表示ユニットを示す斜視図であり、表示ユニットの逆チルト状態を示す図である。
【図３】図３は、実施形態に係る表示ユニットを示す斜視図であり、表示ユニットの逆チルト状態を示す図である。
【図４】図４は、実施形態に係る表示ユニットの正立状態を示す側面図である。
【図５】図５は、実施形態に係る表示ユニットの正立状態から逆チルト状態への逆チルト動作を示す側面図である。
【図６】図６は、実施形態に係る表示ユニットの第一逆チルト状態を示す側面図である。
【図７】図７は、実施形態に係る表示ユニットの逆チルト状態を示す側面図である。
【図８】図８は、実施形態に係る表示ユニットの逆チルト状態から中間正立状態への動作を示す側面図である。
【図９】図９は、実施形態に係る表示ユニットの中間正立状態を示す側面図である。
【図１０】図１０は、実施形態に係る表示ユニットの中間正立状態からチルト状態への動作を示す側面図である。
【図１１】図１１は、実施形態に係る表示ユニットの中間正立状態からチルト状態への動作を示す側面図である。
【図１２】図１２は、実施形態に係る表示ユニットの中間正立状態からチルト状態への動作を示す側面図である。
【図１３】図１３は、実施形態に係る表示ユニットの中間正立状態からチルト状態への動作を示す側面図である。
【図１４】図１４は、実施形態に係る表示ユニットの中間正立状態からチルト状態への動作を示す側面図である。
【図１５】図１５は、実施形態に係る表示ユニットの中間正立状態からチルト状態への動作を示す側面図である。
【図１６】図１６は、実施形態に係る表示ユニットの中間正立状態からチルト状態への動作を示す側面図である。
【図１７】図１７は、実施形態に係る表示ユニットの中間正立状態からチルト状態への動作を示す側面図である。
【図１８】図１８は、実施形態に係る表示ユニットのチルト状態を示す側面図である。
【発明を実施するための形態】
【００１２】
以下に添付図面を参照して、本発明に係る表示パネル駆動機構４を備えた電子機器１の実施形態を詳細に説明する。なお、以下の実施形態により本発明が限定されるものではない。
【００１３】
以下の説明においては、電子機器１を車両の運転席の前方に搭載した状態で各方向を定義する。前後方向とは、車両直進時の進行方向と平行な方向であり、運転席側に向かう方向を前後方向の「前」、前方ウインドシールド側に向かう方向を前後方向「後」とする。前後方向を、Ｘ軸方向とする。左右方向とは、前後方向に対して水平に直交する方向である。運転席側から見て、左手側が「左」、右手側が「右」である。左右方向を、Ｙ軸方向とする。上下方向とは、前後方向および左右方向に対して直交する方向である。上下方向を、Ｚ軸方向とする。したがって、前後方向、左右方向および鉛直方向は、３次元で直交する。
【００１４】
図１は、実施形態に係る電子機器を車両に取り付けた状態を示す正面図である。図２は、実施形態に係る表示ユニットを示す斜視図であり、表示ユニットの逆チルト状態を示す図である。図３は、実施形態に係る表示ユニットを示す斜視図であり、表示ユニットの逆チルト状態を示す図である。電子機器１は、記憶媒体から情報を読み取る読取ユニット２と、読み取った情報を表示させる表示ユニット３とを有する。電子機器１は、例えば、ＡＶ一体型のカーナビゲーションシステムまたはカーオーディオなどである。
【００１５】
読取ユニット２は、記憶媒体が装着される図示しないメディアスロットが配置され、記憶媒体から情報を読み取る。読取ユニット２は、記憶媒体から読み取った情報と、表示パネルで検出された操作情報とに基づいて、図示しない制御部を介して電子機器１の各部に制御信号を出力する。読取ユニット２は、直方体状の箱状に形成された図示しない筐体（電子機器本体）を有する。
【００１６】
筐体は、表示ユニット３と向かい合う面にサブパネル（電子機器本体の表面）２１が配置されている。筐体は、例えば、クラスタパネル、センターコンソール、インストルメントパネルに取り付けられている。
【００１７】
サブパネル２１は、Ｘ軸方向と直交する平面に配置されている。サブパネル２１には、記憶媒体が装着されるメディアスロットが配置されている。サブパネル２１は、前側が開口している。サブパネル２１の開口の内周面には、Ｚ軸方向に沿った方向に延びるガイド溝２２が形成されている。
【００１８】
ガイド溝２２は、表示ユニット３のチルト動作時に、第三回転軸１０３をガイドする。ガイド溝２２は、第三回転軸１０３の先端部が係合している。ガイド溝２２の下端部には、表示ユニット３のチルト動作完了時、言い換えると、表示ユニット３のフルオープン時に第三回転軸１０３が当接する。ガイド溝２２は、例えば、図示のように湾曲形状に形成されていてもよい。ガイド溝２２の形状は、図示の形状に限定されない。
【００１９】
表示ユニット３は、表面に配置された表示パネル３１と、表示ユニット３の姿勢を変化させる表示パネル駆動機構４とを有する。表示ユニット３は、表示パネル駆動機構４によって、正立状態にする正立動作と、逆チルト状態にする逆チルト動作と、チルト状態にするチルト動作とを行う。正立状態とは、表示ユニット３がサブパネル２１と平行な方向に沿って起立した状態である。逆チルト状態とは、表示ユニット３が表面を下向きにして、サブパネル２１に対して傾いた状態である。チルト状態とは、表示ユニット３が表示面を上向きにして、サブパネル２１に対して傾いた状態である。
【００２０】
表示ユニット３が正立状態または逆チルト状態のとき、表示ユニット３は、読取ユニット２に対して閉じた状態である。言い換えると、表示ユニット３が正立状態または逆チルト状態のとき、サブパネル２１は表示ユニット３で覆われている。
【００２１】
表示ユニット３のチルト動作時に、表示ユニット３は、読取ユニット２のサブパネル２１のガイド溝２２に沿ってスライドし開閉する。表示ユニット３がチルト状態のとき、読取ユニット２は開いた状態で、サブパネル２１が露出している。表示ユニット３は、下部がサブパネル２１から遠ざかりながら、上部がサブパネル２１に沿って下側にスライドすることで、サブパネル２１に対して開いた状態となる。表示ユニット３は、下部がサブパネル２１に近づきながら、上部がサブパネル２１に沿って上側にスライドすることでサブパネル２１に対して閉じた状態となる。
【００２２】
表示パネル駆動機構４は、第一プレート（第一可動部）５と、第二プレート（第二可動部）６と、第三プレート（第三可動部）７と、第一回転軸移動機構８と、スライド機構９と、ガイド機構１０と、一対の第一回転軸１０１と、一対の第二回転軸１０２と、第三回転軸１０３と、一対の第四回転軸１００とを有する。
【００２３】
第一プレート５は、表示パネル３１を支持するプレートである。言い換えると、第一プレート５は、表面に表示パネル３１が配置される。第一プレート５は、サブパネル２１より前側に配置されている。第一プレート５は、表示ユニット３が正立状態であるときのＸ軸方向視において矩形状に形成されている。第一プレート５は、表示ユニット３が正立状態であるとき、サブパネル２１と平行な方向に沿って起立し、サブパネル２１と対面する。第一プレート５は、表示ユニット３が逆チルト状態であるとき、表面を下向きにして、サブパネル２１に対して傾いている。第一プレート５は、表示ユニット３がチルト状態であるとき、表面を上向きにして、サブパネル２１に対して傾いている。第一プレート５は、表示ユニット３のチルト動作時、上端部がサブパネル２１に沿って下方に移動し、下端部がサブパネル２１から離れて前方に移動することで、サブパネル２１に沿ってスライドし開閉する。
【００２４】
このように構成された第一プレート５は、各部材の動作に連動してサブパネル２１に対して起立したり傾いたりする。第一プレート５には、一対の第一回転軸１０１と一対の第二回転軸１０２とが配置されている。
【００２５】
一対の第一回転軸１０１は、第一プレート５のＺ軸方向の下部かつＹ軸方向の端部にＹ軸方向と平行な方向に沿って配置されている。一対の第一回転軸１０１は、中心軸線が同一直線上に配置されている。第一回転軸１０１は、第一プレート５と第一回転軸移動機構８とを軸線回りに回転可能に連結する。第一回転軸１０１は、第一回転軸１０１と第二回転軸１０２と第三回転軸１０３とを含むリンク機構のジョイント部の回動支点を示す。
【００２６】
本実施形態において、回転軸とは、３６０度以下の回動するものを含む。以下の回転軸についても同様である。
【００２７】
一対の第二回転軸１０２は、第一プレート５のＺ軸方向の中間部かつＹ軸方向の端部にＹ軸方向と平行な方向に沿って配置されている。一対の第二回転軸１０２は、中心軸線が同一直線上に配置されている。第二回転軸１０２は、表示ユニット３が正立状態であるとき、第一回転軸１０１の上側かつ前側に位置している。第二回転軸１０２は、第一プレート５と第二プレート６とを軸線回りに回転可能に連結する。第二回転軸１０２は、第一回転軸１０１と第二回転軸１０２と第三回転軸１０３とを含むリンク機構のジョイント部の回動支点を示す。
【００２８】
一対の第二プレート６は、下側が第一プレート５と、上側が第三プレート７と連結する。一対の第二プレート６は、第一プレート５のＹ軸方向の端部に配置されている。第二プレート６は、Ｙ軸方向視において長尺の板材で形成されている。一対の第二プレート６は、一方の端部が第二回転軸１０２を介して第一プレート５の中間部と連結されている。一対の第二プレート６は、他方の端部が第三回転軸１０３を介してサブパネル２１に摺動可能に係合している。一対の第二プレート６は、表示ユニット３が正立状態であるとき、サブパネル２１の開口に収容される。
【００２９】
第二回転軸１０２には図示しないねじりコイルバネ（バネ）が配置されている。ねじりコイルバネは、第二プレート６を第一プレート５に近づける方向、言い換えると、第二プレート６と第一プレート５とを閉じて、サブパネル２１の開口に収容する方向に付勢している。
【００３０】
第三回転軸１０３は、第二プレート６の上部と第三プレート７の一対の側壁７２の上部とを貫通してＹ軸方向と平行な方向に沿って配置されている。第三回転軸１０３は、ガイド溝２２に摺動可能に係合する。第三回転軸１０３は、第一回転軸１０１と第二回転軸１０２と第三回転軸１０３とを含むリンク機構のジョイント部の回動支点を示す。
【００３１】
第三プレート７は、下部が第一プレート５と連結する。第三プレート７は、表示ユニット３が正立状態であるとき、サブパネル２１の開口に収容される。本実施形態では、第三プレート７は、第一プレート５とサブパネル２１と対面する主壁７１と、主壁７１から立設する一対の側壁７２とを有する。主壁７１と一対の側壁７２とは、一体に形成されている。主壁７１と一対の側壁７２とで囲まれた空間が、表示ユニット３が正立状態であるとき、前方に向かって開口している。
【００３２】
主壁７１は、矩形の板状に形成されている。主壁７１は、第一プレート５より、Ｙ軸方向の幅が小さい。主壁７１は、表示ユニット３が正立状態または逆チルト状態であるとき、表面がサブパネル２１と向かい合い、裏面が第一プレート５と向かい合う。主壁７１は、表示ユニット３がチルト状態であるとき、第一プレート５とともに傾倒して、サブパネル２１を露出する。
【００３３】
一対の側壁７２は、平板で形成されている。一対の側壁７２は、主壁７１のＹ軸方向の端部から前側に立設されている。一対の側壁７２は、一対の第二プレート６の間に配置されている。
【００３４】
このように構成された第三プレート７は、一対の第四回転軸１００を介してスライド機構９の下部と連結されている。第三プレート７は、第三回転軸１０３を介してサブパネル２１に摺動可能に係合している。
【００３５】
一対の第四回転軸１００は、第三プレート７のＺ軸方向の下部かつスライド機構９のスライドプレート９１のＸ軸方向の端部にＹ軸方向と平行な方向に沿って配置されている。一対の第四回転軸１００は、中心軸線が同一直線上に配置されている。第四回転軸１００は、第三プレート７とスライドプレート９１とを軸線回りに回転可能に連結する。第四回転軸１００は、第三プレート７を介して、スライドプレート９１のスライド動作を第一プレート５の下部に伝達する。
【００３６】
第一回転軸移動機構８は、一対の第一回転軸１０１をサブパネル２１に対して移動させる。第一回転軸移動機構８は、一対のリフトアーム８１を有する。
【００３７】
一対のリフトアーム８１は、Ｙ軸方向において向かい合って配置されている。リフトアーム８１は、第一アーム８２と、第二アーム８３と、第一アーム８２と第二アーム８３との間に配置された屈曲部８４とで、一体に形成されている。リフトアーム８１は、例えば、図示のようにくの字形状に形成されていてもよい。リフトアーム８１の形状は、図示の形状に限定されない。一対のリフトアーム８１は、Ｙ軸方向に沿って延びる連結部８５によって連結されている。一対のリフトアーム８１には、アーム回転軸８６と、ガイド軸８７とが連結されている。
【００３８】
第一アーム８２は、表示ユニット３が正立状態であるとき、前側から後側に向かうにつれて上側から下側に傾斜している。第一アーム８２は、前側の端部に第一回転軸１０１が連結されている。
【００３９】
第二アーム８３は、表示ユニット３が正立状態であるとき、前側から後側に向かうにつれて下側から上側に傾斜している。第二アーム８３は、後方の端部にガイド軸８７が連結されている。
【００４０】
屈曲部８４は、第一アーム８２と第二アーム８３との間に位置する。屈曲部８４は、アーム回転軸８６が連結されている。
【００４１】
アーム回転軸８６は、一対のリフトアーム８１の屈曲部８４をＹ軸方向に貫通している。一対のリフトアーム８１は、アーム回転軸８６の軸線回りに回転可能である。アーム回転軸８６は、スライド機構９のスライドプレート９１に回転可能に連結されている。これにより、スライド機構９のスライドプレート９１の進退に連動して、アーム回転軸８６がサブパネル２１に対してＸ軸方向に進退し、一対のリフトアーム８１が進退する。
【００４２】
ガイド軸８７は、一対のリフトアーム８１の第二アーム８３の後方の端部に回転可能に連結されている。ガイド軸８７は、ガイド機構１０のカム溝１１に係合している。ガイド軸８７がカム溝１１に沿ってスライドすることで、一対のリフトアーム８１は、アーム回転軸８６の軸線回りに回転して姿勢が変化する。
【００４３】
スライド機構９は、サブパネル２１に対してＸ軸方向に進退する。スライド機構９は、スライドプレート９１と、図示しないモータとを有する。スライドプレート９１は、モータで駆動され、サブパネル２１に対して前進したり、サブパネル２１に対して後退したりする。スライドプレート９１は、第四回転軸１００と回転可能に連結する。スライドプレート９１は、アーム回転軸８６と回転可能に連結する。スライドプレート９１は、例えば後側の端部がモータと接続されている。
【００４４】
このように構成されたスライド機構９は、スライドプレート９１がサブパネル２１に対して前進すると、アーム回転軸８６を前進させる。スライド機構９は、スライドプレート９１がサブパネル２１に対して後退すると、アーム回転軸８６を後退させる。スライドプレート９１の進退時、ガイド軸８７がカム溝１１に沿ってスライドすることで、一対のリフトアーム８１は、アーム回転軸８６の軸線回りに回転して姿勢が変化する。
【００４５】
ガイド機構１０は、スライド機構９のスライドプレート９１と対面して筐体に配置されている。ガイド機構１０は、ガイド軸８７と係合するカム溝１１が形成されている。
【００４６】
カム溝１１は、ガイド軸８７をガイドする。カム溝１１は、第一溝部１２と第二溝部１３と第三溝部１４と第四溝部１５と第五溝部１６と第六溝部１７と第七溝部１８とが連通して形成されている。
【００４７】
第一溝部１２は、後側から前側に水平に形成されている。
【００４８】
第二溝部１３は、第一溝部１２の前側の端部に連通し、後側から前側に向かうにつれて上側から下側に傾斜している。
【００４９】
第三溝部１４は、第二溝部１３の前側の端部に連通し、後側から前側に水平に形成されている。第三溝部１４にガイド軸８７が係合しているとき、電子機器１は、第一逆チルト位置をとる。
【００５０】
第四溝部１５は、第三溝部１４の前側の端部に連通し、後側から前側に向かうにつれて下側から上側に傾斜している。第四溝部１５にガイド軸８７が係合しているとき、電子機器１は、第一逆チルト位置と第二チルト位置との間の姿勢をとる。
【００５１】
第五溝部１６は、第四溝部１５の前側の端部に連通し、後側から前側に水平に形成されている。第五溝部１６にガイド軸８７が係合しているとき、電子機器１は、第二逆チルト位置をとる。
【００５２】
第六溝部１７は、第五溝部１６の前側の端部に連通し、後側から前側に向かうにつれて下側から上側に傾斜している。
【００５３】
第七溝部１８は、第六溝部１７の前側の端部に連通し、後側から前側に向かうにつれて下側から上側に傾斜している。第七溝部１８は、ガイド機構１０の端部において開口している。
【００５４】
このように構成された表示パネル駆動機構４において、一対のリフトアーム８１の姿勢の変化に連動して、第一回転軸１０１と第二回転軸１０２と第三回転軸１０３との相対的な位置関係が変化する。一対のリフトアーム８１の姿勢が変化しても、第一回転軸１０１と第二回転軸１０２との間の距離Ｌ１と、第二回転軸１０２と第三回転軸１０３との間の距離Ｌ２は固定であり、第一回転軸１０１と第三回転軸１０３との間の距離Ｌ３は変化する。
【００５５】
次に、このように構成された電子機器１の逆チルト動作とチルト動作と作用について説明する。
【００５６】
まず、図４を用いて、表示ユニット３の正立状態について説明する。図４は、実施形態に係る表示ユニットの正立状態を示す側面図である。第一プレート５と第二プレート６と第三プレート７とは、閉じた状態となっている。第一プレート５は、サブパネル２１と平行な方向に沿って起立している。第二プレート６と第三プレート７とは、サブパネル２１の開口に収容されている。第三回転軸１０３は、ガイド溝２２の上端部に位置している。ガイド軸８７は、第一溝部１２の後端部に位置している。
【００５７】
図５ないし図７を用いて、表示ユニット３の逆チルト動作について説明する。図５は、実施形態に係る表示ユニットの正立状態から逆チルト状態への逆チルト動作を示す側面図である。図６は、実施形態に係る表示ユニットの第一逆チルト状態を示す側面図である。図７は、実施形態に係る表示ユニットの逆チルト状態を示す側面図である。逆チルト動作は、表示ユニット３の正立状態から開始される。逆チルト動作が開始されると、スライド機構９のスライドプレート９１がモータで駆動され、サブパネル２１に対して前進する。
【００５８】
図５に示す状態は、表示ユニット３が正立状態から逆チルト状態に変化する途中の状態である。スライド機構９のスライドプレート９１がサブパネル２１に対して前進している。スライドプレート９１の前進に連動して、第一回転軸移動機構８が前進している。より詳しくは、ガイド軸８７は、カム溝１１に沿って前進している。ガイド軸８７は、第二溝部１３に位置し、図４に示す状態より前側かつ下側に位置している。ガイド軸８７の動きに連動して、一対のリフトアーム８１がアーム回転軸８６を中心に時計回りに回転して姿勢が変化している。第二アーム８３が押し下げられ、第一アーム８２が持ち上げられている。第一回転軸１０１は、図４に示す状態より前側かつ上側に位置している。第一回転軸１０１は、ガイド軸８７より上側に位置している。図４に示す状態から第一回転軸１０１と第二回転軸１０２と第三回転軸１０３との相対的な位置関係が変化している。第一回転軸１０１の移動に連動して、第二回転軸１０２が図４に示す状態より前側かつ上側に移動している。このようにして、第一プレート５は、表面を下向きにした逆チルト状態になっている。第二プレート６と第三プレート７とは、一部分がサブパネル２１から露出している。
【００５９】
図６に示す状態は、図５に示す状態から、第一逆チルト位置において逆チルト動作が完了した状態である。スライド機構９のスライドプレート９１がサブパネル２１に対してさらに前進している。スライドプレート９１の前進に連動して、第一回転軸移動機構８がさらに前進している。ガイド軸８７は、第三溝部１４に位置し、図５に示す状態より前側かつ下側に位置している。第二アーム８３がさらに押し下げられ、第一アーム８２がさらに持ち上げられている。第一回転軸１０１は、図５に示す状態より前側かつ上側に位置している。図５に示す状態から第一回転軸１０１と第二回転軸１０２と第三回転軸１０３との相対的な位置関係が変化している。第一回転軸１０１の移動に連動して、第二回転軸１０２が図５に示す状態より前側かつ上側に移動している。このようにして、第一プレート５は、表面を下向きにして、第一逆チルト位置において逆チルト状態になっている。第一逆チルト位置は、第一プレート５がサブパネル２１の表面に対して角度θ１傾いた状態である。第二プレート６と第三プレート７とは、一部分がサブパネル２１から露出している。
【００６０】
図７に示す状態は、第二逆チルト位置において逆チルト動作が完了した状態である。スライド機構９のスライドプレート９１がサブパネル２１に対してさらに前進している。スライドプレート９１の前進に連動して、第一回転軸移動機構８がさらに前進している。ガイド軸８７は、第五溝部１６に位置し、図６に示す状態より前側かつ上側に位置している。第二アーム８３が押し上げられ、第一アーム８２が押し下げられている。第一回転軸１０１は、図６に示す状態より前側かつ下側に位置している。図６に示す状態から第一回転軸１０１と第二回転軸１０２と第三回転軸１０３との相対的な位置関係が変化している。第一回転軸１０１の移動に連動して、第二回転軸１０２が図６に示す状態より前側かつ下側に移動している。第三回転軸１０３は、ガイド溝２２の上端部より下側に位置している。第一プレート５の下部は、サブパネル２１から前側に離間している。第一プレート５の上部がサブパネル２１に対して引き戻されて、第一プレート５のサブパネル２１に対する傾斜が小さくなっている。このようにして、第一プレート５は、表面を下向きにして、第二逆チルト位置において逆チルト状態になっている。第二逆チルト位置は、第一プレート５がサブパネル２１の表面に対して角度θ２（＜θ１）傾いた状態である。第二プレート６と第三プレート７とは、一部分がサブパネル２１からさらに露出している。
【００６１】
このような逆チルト動作において、スライド機構９のスライドプレート９１がサブパネル２１に対して前進することで、第一回転軸１０１と第二回転軸１０２と第三回転軸１０３との相対的な位置関係が変化する。第一回転軸１０１と第二回転軸１０２と第三回転軸１０３との相対的な位置関係によって、第一逆チルト位置では第一プレート５は、表面を下向きにした逆チルト状態になる。また、逆チルト動作において、第一プレート５の表面の下端部は、Ｚ軸方向において正立状態の位置から変化しない。さらに、第一プレート５がサブパネル２１内に後退することなく、表示ユニット３が逆チルト状態になる。言い換えると、第一プレート５の下部をサブパネル２１内に後退させることなく、かつ、第一プレート５の表面の下端部のＺ軸方向の位置を変化させずに、逆チルト動作が行われる。
【００６２】
つづいて、表示ユニット３のチルト動作について説明する。チルト動作は、電子機器１の表示ユニット３が正立状態から、逆チルト動作を経て行われる。逆チルト状態からチルト状態に移行する途中に、表示ユニット３がサブパネル２１と平行な方向に沿って起立した中間正立状態となる。中間正立状態は、表示ユニット３が、正立状態よりも前側で、言い換えると、サブパネル２１から離間した位置で起立した状態である。
【００６３】
図８、図９を用いて、表示ユニット３の中間正立動作について説明する。図８は、実施形態に係る表示ユニットの逆チルト状態から中間正立状態への動作を示す側面図である。図９は、実施形態に係る表示ユニットの中間正立状態を示す側面図である。表示ユニット３は中間正立動作が完了した状態で一旦停止してもよいし、停止せずに連続してチルト動作に移行してもよい。
【００６４】
図８に示す状態は、表示ユニット３が逆チルト状態から中間正立状態に変化する途中の状態である。図８に示す状態は、図７に示す状態から、さらに、スライド機構９のスライドプレート９１がサブパネル２１に対して前進している。スライドプレート９１の前進に連動して、第一回転軸移動機構８がさらに前進している。ガイド軸８７は、第六溝部１７に位置し、図７に示す状態より前側かつ上側に位置している。ガイド軸８７の動きに連動して、一対のリフトアーム８１がアーム回転軸８６を中心に反時計回りに回転して姿勢が変化している。第二アーム８３が持ち上げられ、第一アーム８２が押し下げられている。第一回転軸１０１は、図７に示す状態より前側かつ下側に位置している。図７に示す状態から第一回転軸１０１と第二回転軸１０２と第三回転軸１０３との相対的な位置関係が変化している。第一回転軸１０１の移動に連動して、第二回転軸１０２が図７に示す状態より前側に移動している。第三回転軸１０３は、ガイド溝２２の上端部からさらに離間している。第一プレート５の下部は、サブパネル２１から離間している。第一プレート５の上部がサブパネル２１に対して引き戻されて、第一プレート５のサブパネル２１に対する傾斜がさらに小さくなっている。
【００６５】
図９に示す状態は、表示ユニット３の中間正立状態である。図９に示す状態は、図８に示す状態から、さらに、スライド機構９のスライドプレート９１がサブパネル２１に対して前進している。スライドプレート９１の前進に連動して、第一回転軸移動機構８がさらに前進している。ガイド軸８７は、第六溝部１７に位置し、図８に示す状態より前側かつ上側に位置している。第二アーム８３がさらに持ち上げられ、第一アーム８２がさらに押し下げられている。図８に示す状態から第一回転軸１０１と第二回転軸１０２と第三回転軸１０３との相対的な位置関係が変化している。第三回転軸１０３は、図８に示す状態よりガイド溝２２の下側に位置している。このようにして、第一プレート５は、下部がサブパネル２１から離間した位置で、サブパネル２１と平行な方向に沿って起立した中間正立状態になる。
【００６６】
図１０ないし図１８を用いて、表示ユニット３のチルト動作について説明する。図１０は、実施形態に係る表示ユニットの中間正立状態からチルト状態への動作を示す側面図である。図１１は、実施形態に係る表示ユニットの中間正立状態からチルト状態への動作を示す側面図である。図１２は、実施形態に係る表示ユニットの中間正立状態からチルト状態への動作を示す側面図である。図１３は、実施形態に係る表示ユニットの中間正立状態からチルト状態への動作を示す側面図である。図１４は、実施形態に係る表示ユニットの中間正立状態からチルト状態への動作を示す側面図である。図１５は、実施形態に係る表示ユニットの中間正立状態からチルト状態への動作を示す側面図である。図１６は、実施形態に係る表示ユニットの中間正立状態からチルト状態への動作を示す側面図である。図１７は、実施形態に係る表示ユニットの中間正立状態からチルト状態への動作を示す側面図である。図１８は、実施形態に係る表示ユニットのチルト状態を示す側面図である。
【００６７】
図１０に示す状態は、表示ユニット３が中間正立状態からチルト状態に変化する途中の状態である。図１０に示す状態は、図９に示す状態から、さらに、スライド機構９のスライドプレート９１がサブパネル２１に対して前進している。スライドプレート９１の前進に連動して、第一回転軸移動機構８がさらに前進している。ガイド軸８７は、第七溝部１８に位置している。第一プレート５の下部は、サブパネル２１からさらに離間している。第一プレート５は、表面を上向きにして、サブパネル２１に対して傾いている。
【００６８】
図１１に示す状態は、図１０に示す状態から、さらに、スライド機構９のスライドプレート９１がサブパネル２１に対して前進している。スライドプレート９１の前進に連動して、第一回転軸移動機構８がさらに前進している。ガイド軸８７は、第七溝部１８のさらに前側に位置している。第三回転軸１０３は、図１０に示す状態よりガイド溝２２の下側に位置している。第一プレート５の下部は、サブパネル２１からさらに離間している。第二プレート６と第三プレート７との間の角度は、図１０に示す状態より小さい。第一プレート５は、図１０に示す状態よりサブパネル２１に対する傾きが大きくなっている。
【００６９】
図１２に示す状態は、図１１に示す状態から、さらに、スライド機構９のスライドプレート９１がサブパネル２１に対して前進している。スライドプレート９１の前進に連動して、第一回転軸移動機構８がさらに前進している。ガイド軸８７は、第七溝部１８のさらに前側に位置している。第三回転軸１０３は、図１１に示す状態よりガイド溝２２の下側に位置している。第一プレート５の下部は、サブパネル２１からさらに離間している。第二プレート６と第三プレート７との間の角度は、図１１に示す状態より小さい。第一プレート５は、図１１に示す状態よりサブパネル２１に対する傾きが大きくなっている。
【００７０】
図１３に示す状態は、図１２に示す状態から、さらに、スライド機構９のスライドプレート９１がサブパネル２１に対して前進している。スライドプレート９１の前進に連動して、第一回転軸移動機構８がさらに前進している。ガイド軸８７は、第七溝部１８のさらに前側に位置している。第三回転軸１０３は、図１２に示す状態よりガイド溝２２の下側に位置している。第二プレート６と第三プレート７との間の角度は、図１２に示す状態より小さい。第一プレート５は、図１２に示す状態よりサブパネル２１に対する傾きが大きくなっている。
【００７１】
図１４に示す状態は、図１３に示す状態から、さらに、スライド機構９のスライドプレート９１がサブパネル２１に対して前進している。スライドプレート９１の前進に連動して、第一回転軸移動機構８がさらに前進している。ガイド軸８７は、第七溝部１８のさらに前側に位置している。第三回転軸１０３は、図１３に示す状態よりガイド溝２２の下側に位置している。第二プレート６と第三プレート７との間の角度は、図１３に示す状態より小さい。第一プレート５は、図１３に示す状態よりサブパネル２１に対する傾きが大きくなっている。
【００７２】
図１５に示す状態は、図１４に示す状態から、さらに、スライド機構９のスライドプレート９１がサブパネル２１に対して前進している。スライドプレート９１の前進に連動して、第一回転軸移動機構８がさらに前進している。ガイド軸８７は、第七溝部１８の前側の端部に位置している。第二プレート６と第三プレート７との間の角度は、図１４に示す状態より小さい。第一プレート５と第二プレート６と第三プレート７とは、閉じた状態となっている。第一プレート５は、図１４に示す状態よりサブパネル２１に対する傾きが大きくなっている。
【００７３】
図１６に示す状態は、図１５に示す状態から、さらに、スライド機構９のスライドプレート９１がサブパネル２１に対して前進している。スライドプレート９１の前進に連動して、第一回転軸移動機構８がさらに前進している。ガイド軸８７は、カム溝１１の前側の端部から離間している。第三回転軸１０３は、図１５に示す状態よりガイド溝２２の下側に位置している。第一プレート５と第二プレート６と第三プレート７とは、閉じた状態となっている。第一プレート５は、図１５に示す状態よりサブパネル２１に対する傾きが大きくなっている。
【００７４】
図１７に示す状態は、図１６に示す状態から、さらに、スライド機構９のスライドプレート９１がサブパネル２１に対して前進している。スライドプレート９１の前進に連動して、第一回転軸移動機構８がさらに前進している。第三回転軸１０３は、図１６に示す状態よりガイド溝２２の下側に位置している。第一プレート５と第二プレート６と第三プレート７とは、閉じた状態となっている。第一プレート５は、図１６に示す状態よりサブパネル２１に対する傾きが大きくなっている。
【００７５】
図１８に示す状態は、図１７に示す状態から、さらに、スライド機構９のスライドプレート９１がサブパネル２１に対して前進している。スライドプレート９１の前進に連動して、第一回転軸移動機構８がさらに前進している。第三回転軸１０３は、ガイド溝２２の下端部に位置している。このようにして、第一プレート５と第二プレート６と第三プレート７とがサブパネル２１に対して開き、チルト動作が完了してフルオープンする。
【００７６】
上述したように、本実施形態は、スライド機構９の進退動作に連動して第一回転軸移動機構８の姿勢が変化して、第一回転軸１０１がサブパネル２１に対して動作する。そして、第一回転軸１０１と第二回転軸１０２と第三回転軸１０３との相対的な位置関係を変化させて、第一プレート５をサブパネル２１に対して傾けることで、表示ユニット３を逆チルト動作させる。本実施形態は、表示ユニット３の逆チルト動作時に、第一プレート５の表面の下端部の位置を変化させず、第一プレート５をサブパネル２１内に後退させずに、表示ユニット３を逆チルト状態にすることができる。本実施形態によれば、第一プレート５によって支持される表示パネル３１の大きさがサブパネル２１の大きさによって制限されず、表示パネル３１を大型化することができる。
【００７７】
本実施形態は、第一プレート５と第二プレート６と第三プレート７とによって、第一回転軸１０１と第二回転軸１０２と第三回転軸１０３とを、表示ユニット３の正立動作時と逆チルト動作時とチルト動作時とにおいて所望の関係に位置付けることができる。本実施形態は、例えば、３つの回転軸を所望の関係に確実に位置付けるための規制部材がなくても、表示ユニット３の各動作時において、３つの回転軸を所望の関係に位置付けることができる。これらより、本実施形態では、各部材の配置の自由度を向上することができる。本実施形態は、各部材の配置の自由度が向上することにより、例えば、７インチサイズ程度の小型パネルにも適用することができる。
【００７８】
本実施形態は、例えば、図７に示すように、第三回転軸１０３がガイド溝２２の上端部から離間している位置でも、適切な姿勢を保持することができる。これにより、本実施形態によれば、表示ユニット３の逆チルト動作時に、第一逆チルト位置と第二逆チルト位置との二段階の逆チルト角度をとることができる。
【００７９】
本実施形態では、第三プレート７と第二プレート６とが第一プレート５の表面に配置される表示パネル３１の荷重を受ける。これにより、本実施形態は、第一回転軸移動機構８にかかる負荷を低減することができる。本実施形態によれば、第一回転軸移動機構８による第一回転軸１０１の移動をスムースに行うことができる。
【００８０】
本実施形態では、表示ユニット３のフルオープン状態から正立状態に戻る時に、第三プレート７が表示パネル３１の荷重を受ける。本実施形態は、表示パネル３１のフルオープン状態から正立状態に戻る時に、第一プレート５に表示パネル３１の荷重がかかることを抑制することができる。これにより、本実施形態によれば、第一プレート５と第二プレート６と第三プレート７とが閉じた状態を保持することができる。
【００８１】
本実施形態は、第一プレート５の表面の下端部の位置を変化させずに、表示ユニット３を逆チルト動作させることができる。これにより、本実施形態によれば、表示ユニット３が車室のセンターコンソール、インストルメントパネルなどに干渉することなく、表示ユニット３を逆チルト動作させることができる。
【００８２】
従来は、第一プレート５の側面にスライド機構９の進退動作に連動して回転するアームを連結して表示ユニット３を逆チルト動作させていた。このため、電子機器１を車両に取り付ける締結部材と、筐体の内部のアームとが干渉しないように留意する必要があった。さらに、スライド機構９にはアームを回転させるためのカム溝が必要であった。このため、電子機器１の筐体の内部に、アームが回転するためのスペースと、スライド機構９にカム溝を形成するためのスペースとを確保する必要があった。
【００８３】
これに対して、本実施形態は、第一プレート５の側面にアームを配置しないため、電子機器１を車両に取り付ける締結部材を所望の位置に配置することができる。このため、本実施形態は、多様な車種に容易に適用することができる。
【００８４】
本実施形態は、スライド機構９にカム溝を形成しなくてよいので、筐体の内部における電子部品の配線のスペースを確保することができる。
【００８５】
本実施形態は、第一プレート５と第二プレート６と第三プレート７とを有することにより、表示ユニット３の逆チルト動作時に、第一回転軸１０１と第二回転軸１０２と第三回転軸１０３との相対的な位置関係を適切な位置にすることができる。これにより、本実施形態は、第一プレート５と第二プレート６とのガタツキ、および、第二プレート６とサブパネル２１とのガタツキ、および、第三プレート７とサブパネル２１とのガタツキを抑制することができる。さらに、本実施形態は、第一回転軸１０１と第二回転軸１０２と第三回転軸１０３とにおけるガタツキを抑制することができる。このように、本実施形態によれば、各部材のガタツキを抑制するための部品を別途配置する必要がない。このため、本実施形態は、部品数を削減することができる。さらに、本実施形態は、ガタツキを抑制することで、表示ユニット３の逆チルト動作時に各部品に作用する負荷を低減することが可能である。
【００８６】
さて、これまで本発明に係る電子機器１について説明したが、上述した実施形態以外にも種々の異なる形態にて実施されてよいものである。
【００８７】
第一可動部と第二可動部とは、プレート状の第一プレート５と第二プレート６と第三プレート７として説明したが、これに限定されない。第一可動部と第二可動部と第三可動部とは、上述した第一プレート５と第二プレート６と第三プレート７と同様の動作をするものであればよく、例えば、アーム状に形成されていてもよい。
【００８８】
第三プレート７が主壁７１と一対の側壁７２とを有するものとして説明したが、第二
プレート６が主壁７１と一対の側壁７２とを有していてもよい。
【００８９】
第一プレート５とサブパネル２１との間に配置された防護板を備えていてもよい。防護板は、第一プレート５がサブパネル２１から離れると、第一プレート５とサブパネル２１との間の隙間を覆う。例えば、防護板は、Ｙ軸方向視において扇形の板材で形成されていてもよいし、シート状の材料で構成されていてもよい。
【符号の説明】
【００９０】
１        電子機器
２        読取ユニット
２１      サブパネル（電子機器本体の表面）
３        表示ユニット
３１      表示パネル
４        表示パネル駆動機構
５        第一プレート（第一可動部）
６        第二プレート（第二可動部）
７        第三プレート（第三可動部）
８        第一回転軸移動機構
８１      リフトアーム
８６      アーム回転軸
８７      ガイド軸
９        スライド機構
９１      スライドプレート
１０      ガイド機構
１１      カム溝
１０１    第一回転軸
１０２    第二回転軸
１０３    第三回転軸
１００    第四回転軸
Ｌ１      第一回転軸と第二回転軸との間の距離
Ｌ２      第二回転軸と第三回転軸との間の距離
Ｌ３      第一回転軸と第三回転軸との間の距離
【図１】
2019119381.tif 000003
【図２】
2019119381.tif 000004
【図３】
2019119381.tif 000005
【図４】
2019119381.tif 000006
【図５】
2019119381.tif 000007
【図６】
2019119381.tif 000008
【図７】
2019119381.tif 000009
【図８】
2019119381.tif 000010
【図９】
2019119381.tif 000011
【図１０】
2019119381.tif 000012
【図１１】
2019119381.tif 000013
【図１２】
2019119381.tif 000014
【図１３】
2019119381.tif 000015
【図１４】
2019119381.tif 000016
【図１５】
2019119381.tif 000017
【図１６】
2019119381.tif 000018
【図１７】
2019119381.tif 000019
【図１８】
2019119381.tif 000020